(57)【要約】      （修正有）【課題】例えば日時指定や座席指定を発行時に印字するチケットとして使用して、その贋造を発見することが可能で、しかも、印字した日時や座席の改竄を発見することもでき、この結果、このような贋造と改竄のいずれをも防止することができる偽造防止印刷物を提供する。【解決手段】基材シート１上に感熱発色層２を有し、この感熱発色層２の少なくとも一部を被覆して隠蔽層３を設けて成る偽造防止シートであって、前記隠蔽層３が、波長６００ｎｍ以上の光のうち、少なくとも一部の波長の光を透過する光透過域を有しており、これ以下の波長の可視光を遮断するものとする。【選択図】図１
2020185712.tif 000002
【特許請求の範囲】
【請求項１】
基材上に感熱発色層を有し、この感熱発色層の少なくとも一部を被覆して隠蔽層を印刷して成る偽造防止印刷物であって、
前記隠蔽層が、波長６００ｎｍ以上の光のうち、少なくとも一部の波長の光を透過する光透過域を有しており、これ以下の波長の可視光を遮断するものであることを特徴とする偽造防止印刷物。
【請求項２】
前記光透過域が波長７００ｎｍ以上の赤外光のうち、少なくとも一部を透過する領域であることを特徴とする請求項１に記載の偽造防止印刷物。
【請求項３】
前記隠蔽層が二層を積層して構成されており、これら二層の色彩が互いに補色関係にあることを特徴とする請求項１又は２に記載の偽造防止印刷物。
【請求項４】
前記隠蔽層が二種類の顔料を含む層で構成されており、これら二種類の顔料が互いに補色関係にあることを特徴とする請求項１に記載の偽造防止印刷物。
【請求項５】
前記隠蔽層の上に光輝性顔料層を有することを特徴とする請求項１〜４のいずれかに記載の偽造防止印刷物。
【請求項６】
表面が印字可能であることを特徴とする請求項１〜５のいずれかに記載の偽造防止印刷物。
【発明の詳細な説明】
【技術分野】
【０００１】
本発明は、贋造を防止すると共に印字された文字等の改竄も防止できる印刷物に関する。例えば日時指定や座席指定を印字するチケットとしてこの印刷物を使用した場合、贋造されたチケットを発見することができ、また、印字した日時や座席の改竄も発見することができる。そして、この結果、このような贋造と改竄とをいずれも防止することができる。
【背景技術】
【０００２】
経済的価値のある印刷物や持ち主の身分を保障する印刷物には、その偽造を防止する偽造防止手段が施されていることが通常である。このような手段には多数種類が知られており、その代表的手段は細紋の印刷である。
【０００３】
また、例えば特許文献１はホログラム等を貼付して、その真正を保障する偽造防止手段が記載されている。
【０００４】
また、特許文献２は多数の線によって背景画像を構成すると共に、この背景画像を構成する線の間に線状の潜像を設ける偽造防止手段が記載されている。この印刷物に、別途準備された万線シートを重ねることにより、前記潜像を顕在化して、その真贋を判定することができる。
【０００５】
しかしながら、これらは、いずれも、その印刷物の贋造を防止する手段である。
【０００６】
一方、例えば、イベントのチケット等においては、そのイベントの内容や日時は予めチケットに印刷されているものの、座席は印刷されておらず、座席を指定する情報はチケット発行時に印字することが多い。また、映画の入場券、列車の切符等においては、座席と共に日時もチケット発行時に印字することが通常である。さらにまた、領収書においては、領収書発行時に日時と共に領収金額を印字する必要がある。
【０００７】
このように発行時に印字される情報については、その改竄を防止する有効な手段が存在しなかった。
【先行技術文献】
【特許文献】
【０００８】
【特許文献１】特開平１１−２２７３６８号公報
【特許文献２】特開２００１−２１３０４２号公報
【発明の概要】
【発明が解決しようとする課題】
【０００９】
そこで、本発明は、例えば日時指定や座席指定を発行時に印字するチケットとして使用して、その贋造を発見することが可能で、しかも、印字した日時や座席の改竄を発見することもでき、この結果、このような贋造と改竄のいずれをも防止することができる偽造防止印刷物を提供することを目的とする。
【課題を解決するための手段】
【００１０】
すなわち、請求項１に記載の発明は、基材上に感熱発色層を有し、この感熱発色層の少なくとも一部を被覆して隠蔽層を印刷して成る偽造防止印刷物であって、
前記隠蔽層が、波長６００ｎｍ以上の光のうち、少なくとも一部の波長の光を透過する
光透過域を有しており、これ以下の波長の可視光を遮断するものであることを特徴とする偽造防止印刷物である。
【００１１】
次に、請求項２に記載の発明は、前記光透過域が波長７００ｎｍ以上の赤外光のうち、少なくとも一部を透過する領域であることを特徴とする請求項１に記載の偽造防止印刷物である。
【００１２】
次に、請求項３に記載の発明は、前記隠蔽層が二層を積層して構成されており、これら二層の色彩が互いに補色関係にあることを特徴とする請求項１又は２に記載の偽造防止印刷物である。
【００１３】
次に、請求項４に記載の発明は、前記隠蔽層が二種類の顔料を含む層で構成されており、これら二種類の顔料が互いに補色関係にあることを特徴とする請求項１に記載の偽造防止印刷物である。
【００１４】
次に、請求項５に記載の発明は、前記隠蔽層の上に光輝性顔料層を有することを特徴とする請求項１〜４のいずれかに記載の偽造防止印刷物である。
【００１５】
次に、請求項６に記載の発明は、表面が印字可能であることを特徴とする請求項１〜５のいずれかに記載の偽造防止印刷物である。
【発明の効果】
【００１６】
本発明の偽造防止印刷物は、例えばチケットとして使用して、その発行時に日時指定や座席指定を発行時に印字すると共に部分的に加熱して感熱発色層をパターン状に発色させる。例えば、前記日時指定や座席指定を構成する文字や記号と同一のパターンである。
【００１７】
感熱発色層は隠蔽層で被覆されているため、この発色パターンを肉眼で観察・認知することは不可能である。しかしながら、この隠蔽層は波長６００ｎｍ以上に光透過域を有しているから、この光透過域の波長の光を照射することによって前記発色パターンを検知することが可能であり、このパターンが検知された場合には改竄のない印刷物であると判断できる。
【００１８】
一方、感熱発色層の発色が検知されなければ、その印刷物は贋造である、と判断できる。また、感熱発色層の発色が検知されたものであっても、発行時に形成した発色パターンと異なっていれば、改竄されたものと判断できる。例えば、発行時に日時指定や座席指定を構成する文字や記号と同一のパターン状に発色されたにも拘らず、印刷物の発色パターンが印字された日時や.座席と異なっている場合である。
【図面の簡単な説明】
【００１９】
【図１】図１は本発明の第１の具体例に係る偽造防止印刷物の断面図である。
【図２】図２は本発明の第１の具体例に係り、図２（ａ）、（ｂ）は、それぞれ、印字後の偽造防止印刷物の断面図である。
【図３】図３は本発明の第２の具体例に係る偽造防止印刷物の断面図である。
【図４】図４は隠蔽層を構成する二層の分光透過率をそれぞれ示すグラフ図である。
【図５】図５は隠蔽層の分光透過率を示すグラフ図である。
【図６】図６は隠蔽層の分光透過率に重ねて、感熱発色層の分光反射率を図示したグラフ図である。
【発明を実施するための形態】
【００２０】
以下、図面を参照して本発明の具体例を説明する。
【００２１】
図１は本発明の第１の具体例に係る偽造防止印刷物Ａの断面図である。この偽造防止印刷物Ａは、基材１の上に感熱発色層２と隠蔽層３とを順次積層して構成されている。
【００２２】
なお、隠蔽層３は感熱発色層２の一部を被覆して積層されている。隠蔽層３を感熱発色層２の全面を被覆するように積層することもできるが、図示のように感熱発色層２の一部を積層した場合、後述するように、隠蔽層３に覆われずに露出した感熱発色層２を、発行時に印字する領域として利用できる。
【００２３】
基材１は任意のシートで構成されていてよい。好ましくは可視光を遮断する不透明なシートである。また、単層構造のシートでもよいし、多層構造のシートでもよい。単層構造の基材１としては、その代表例として、紙が例示できる。また、単層構造の基材１としては、紙に樹脂塗工層や樹脂フィルムを積層して多層構造としたものが使用できる。この基材１には、感熱発色層２や隠蔽層３を積層する面の反対側の面（裏面）に印刷を施すことができる。
【００２４】
次に、感熱発色層２は、これを部分的に加熱して文字や図形等の発色パターンを形成する部分である。隠蔽層３に覆われた領域に形成された発色パターンは肉眼で観察することができないから、贋造や改竄を見抜くための潜像となる。一方、隠蔽層３に覆われずに露出した領域に形成された発色パターンは肉眼で観察することができるから、例えば、日時や座席を指定する文字や記号として利用できる。
【００２５】
感熱発色層２は、これが発色したときと未発色時との間で、後述する検査光の反射率が異なることが必要である。例えば、未発色のときには、検査光の吸収率が低く、したがってその反射率が高く、他方、発色したときには検査光を吸収してその反射率が低下する。そして、この場合には、感熱発色層２をパターン状に加熱して発色させることにより、前記検査光の反射光を検知することにより、その発色パターン（前記潜像）を読み取ることができる。
【００２６】
このような感熱発色層２は感熱発色剤とバインダーとを基材シート１上に塗布して形成することができる。
【００２７】
このような感熱発色剤としては、例えば、長鎖脂肪酸とフェノール類との組み合わせ、フェノール類とフォトクローム性ベンゾインドリノスピロピラン化合物との組み合わせ、ロイコ染料とフェノール類との組み合わせ、長鎖脂肪酸金属塩と金属キレート化剤との組み合わせ等が例示できる。
【００２８】
これら感熱発色剤はいずれも周知であるが、長鎖脂肪酸としては、例えば、ステアリン酸第二鉄、ベヘン酸第二鉄が例示できる。また、フェノール類としては、例えば、没食子酸メチルエステル、没食子酸ラウリルエステル、プロトカテキユ酸、プロトカテキユ酸エチルエステル、３’，４−ジハイドロオキシベンゾフェノンが例示できる。
【００２９】
ロイコ染料としては、クリスタルバイオレットラクトンが例示できる。
【００３０】
また、長鎖脂肪酸金属塩としてはベヘン酸第二銅を挙げることができる。金属キレート化剤としては、ジフェニルカルバジドを挙げることができる。
【００３１】
なお、この感熱発色剤と混合して塗布するバインダーとしては、融点１８０℃以上のバインダーを好ましく使用できる。例えば、酢酸セルロース、メチルセルロース、ハイドロオキシセルロース、ポリビニルアルコール等である。
【００３２】
隠蔽層３は前記潜像を透視できないようにする役割を有している。このため、隠蔽層３は波長４００〜７００ｎｍの可視光を遮断する性質を有することが望ましい。もっとも、可視領域の端部に属する波長の可視光が透過した場合であっても、この隠蔽層３を通して前記潜像を認知することは困難であるから、隠蔽層３は波長６００ｎｍ未満の可視光を遮断する性質を持っていればよい。
【００３３】
また、隠蔽層３は、前記潜像の有無やそのパターン形状を検査する光（検査光）を透過する性質を持っていなければならない。このような理由から、隠蔽層３は波長６００ｎｍ以上の光のうち、少なくとも一部の波長の光（検査光）を透過する光透過域を有する必要がある。
【００３４】
このような隠蔽層３は、互いに補色関係にある２つのインキ層を順次印刷して積層することにより形成することができる。図１に示す例では、それぞれ下記組成の紫色インキで印刷した紫色インキ層３１と黄色インキで印刷した黄色インキ層３２とで隠蔽層３を構成している。
（１）紫色インキ組成
オフセットインキメジウム（ＦＤカルトンＸメジウムＭ：東洋インキ製造社製）  ８５質量部
紫色顔料（Ｃｒｏｍｏｐｈａｔａｌ  Ｖｉｏｌｅｔ  Ｋ５８００：ＢＡＳＦ社製）  １５質量部
（２）黄色インキ組成
オフセットインキ（ＦＤカルトンＸ  ＲＳＴ  黄Ｍ：東洋インキ製造社製）  １００質量部。
【００３５】
こうして形成された紫色インキ層３１及び黄色インキ層３２の分光透過率を図４に示す。図中、３１Ｔは紫色インキ層３１分光透過率を示し、３２Ｔは黄色インキ層３２の分光透過率を示している。
【００３６】
また、これら紫色インキ層３１及び黄色インキ層３２を重ね刷りして形成された隠蔽層３の分光透過率３Ｔを、紫色インキ層３１分光透過率３１Ｔ及び黄色インキ層３２の分光透過率３２Ｔと共に、図５に示す。
【００３７】
この図５から分かるように、波長が約６００ｎｍより短い可視光は隠蔽層３を透過することができない。波長約６００ｎｍから波長が長くなるにつれて分光透過率が高くなるが、７００ｎｍ以下の波長の可視光の透過率はわずかである。そして、７００ｎｍを超えてさらに長い波長の赤外光の透過率は７０％を超えている。この結果、この例では、波長７００ｎｍ以上の赤外光を検査光として使用できることが理解できる。なお、波長６００ｎｍ〜７００ｎｍの可視光を検査光として使用することも可能である。
【００３８】
以上、隠蔽層３を互いに補色関係にある２つのインキ層３１，３２を積層して構成する例を説明したが、隠蔽層３を互いに補色関係にある二種類の顔料を含む層で構成単一の層で構成することもできる。このような単一の層は、例えば、前記紫色インキと前記黄色インキとを６０：４０の質量比で混合した混合インキを印刷して構成することができる。
【００３９】
次に、この偽造防止印刷物Ａは、次のような方法で使用することができる。図２（ａ）は第１の使用方法を説明する断面説明図である。
【００４０】
すなわち、この例では、隠蔽層３で被覆された領域の感熱記録層２をパターン状に加熱して発色パターン２ｘを形成すると共に、被覆されていない領域の感熱記録層２もパター
ン状に加熱して発色パターン２ｙを形成する。発色パターン２ｘは隠蔽層３で被覆されているから、肉眼で観察することができない潜像を構成する。この潜像２ｘは、発色パターンはもちろん、その存在そのものが偽造防止印刷物Ａの外観からは認知できない。一方、発色パターン２ｙは隠蔽層３に覆われずに露出しているから、肉眼で観察することができる。例えば、この発色パターン２ｙを日時や座席を指定する文字や記号とし、潜像を構成する発色パターン２ｘを、前記発色パターン２ｙを関連付けたパターンとすることができきる。例えば、潜像を構成する発色パターン２ｘも、発色パターン２ｙと同じ日時や座席を指定する文字や記号とする。なお、発色パターン２ｘの発色及び発色パターン２ｙの発色は、いずれも、サーマルヘッドによって可能である。
【００４１】
こうして、発色パターン２ｘ，２ｙが形成された偽造防止印刷物Ａは、これに検査光を照射して、隠蔽層３で被覆されている領域からの反射光を検知することにより、前記潜像を構成する発色パターン２ｘを読み取ることができる。検査光は前記隠蔽層３を透過する必要がある。このため、前記透過域に属する波長の光を検査光として使用する必要がある。
【００４２】
また、感熱発色層２のうち、潜像を構成する発色パターン２ｘのこの検査光に対する反射率とその周囲の未発色領域の反射率は異なる必要がある。図６は、隠蔽層３の分光透過率３Ｔに重ねて、感熱発色層２の分光反射率を図示したもので、図中、２Ｒ１は未発色の感熱発色層２の分光反射率を示し、２Ｒ２は発色後の感熱発色層２の分光反射率を示している。この図から分かるように、波長７８０ｎｍ以下の光に対する未発色の感熱発色層２の反射率２Ｒ１は発色後の感熱発色層２の反射率２Ｒ２より高いため、この波長の光を検査光として使用することができる。すなわち、このような検査光は、例えば、波長７８０ｎｍ以下の赤外光である。また、可視領域に含まれる光であっても、赤外領域に近い長波長の可視光（例えば、波長６００ｎｍ〜７００ｎｍの可視光）を検査光として使用することもできる。
【００４３】
こうして読み取った潜像２ｘが正規のパターンを構成していれば、この偽造防止印刷物Ａが真正であると推測できる。例えば、潜像を構成する発色パターン２ｘを発色パターン２ｙと同じ文字等に構成しておけば、読み取った潜像２ｘが発色パターン２ｙと同じ文字等である場合に、この偽造防止印刷物Ａが真正なものと推測することが可能である。
【００４４】
一方、そもそも検査光の照射によっても潜像２ｘが検知されない場合には、その偽造防止印刷物Ａは贋造されたものである。
【００４５】
また、潜像２ｘが検知された場合でも、発行時に形成した潜像２ｘと異なっていれば、改竄されたものと判断できる。例えば、発行時に日時指定や座席指定を構成する文字や記号と同一のパターン状に発色されたにも拘らず、印刷物Ａの発色パターンが印字された日時や.座席と異なっている場合である。
【００４６】
次に、図２（ｂ）は、偽造防止印刷物Ａの第２の使用方法を説明する断面説明図である。この例では、偽造防止印刷物Ａの隠蔽層３の上に印字して、日時や座席を指定する文字や記号を示すインキ層４を形成している。その他は第１の使用方法と同様である。
【００４７】
以上、隠蔽層３が外表面に露出している偽造防止印刷物Ａについて説明したが、検査光の透過を損なわない範囲で、隠蔽層３の上に表面インキ層を設けることができる。図３はこのような偽造防印刷物Ａを示すもので、隠蔽層３の上に表面インキ層５が設けられている。表面インキ層５としては透明性の高い光輝性顔料層が好ましい。この表面インキ層５が光輝性顔料層で構成されている場合には、隠蔽層３の存在をカモフラージュして、しかも、高い意匠性と偽造防止効果を併せ持つことができる。なお、光輝性顔料層としては、
例えば、パール顔料を含むパールインキ層が例示できる。
【符号の説明】
【００４８】
Ａ：偽造防止シート
１：基材シート
２：感熱発色層
２ｘ：発色パターン（潜像）    ２ｙ：発色パターン
２Ｒ１：未発色の感熱発色層の分光反射率    ２Ｒ２：発色後の感熱発色層の分光反射率
３：隠蔽層    ３Ｔ：隠蔽層の分光透過率曲線
３１：紫色インキ層    ３１Ｔ：紫色インキ層の分光透過率曲線
３２：黄色インキ層    ３２Ｔ：黄色インキ層の分光透過率曲線
４：インキ層
５：表面インキ層
【図１】
2020185712.tif 000003
【図２】
2020185712.tif 000004
【図３】
2020185712.tif 000005
【図４】
2020185712.tif 000006
【図５】
2020185712.tif 000007
【図６】
2020185712.tif 000008